(57)【要約】【課題】複数枚重ねられたフレキシブルフラットケーブルからなる信号伝送路において信号線によるＥＭＩの低減と外部ノイズの抑制を安価に実施できる構成することを目的とする。【解決手段】重ねられたフレキシブルフラットケーブル１Ａ，１Ｂにおいて、１Ａ上の信号線１０に対向した１Ｂ上の対向部分を中心として水平方向にグランド線を配置する。その他の電源などの低速信号線１２，１３にはＥＭＩの発生の少ない電源などの低速信号線を配置している。信号線がグランド線と隣接することでＥＭＩの低減及び外部ノイズの抑制ができ、重ね合わせた際に左右どちらかにずれたとしても同様の効果が得られる。【選択図】図１
2008210605.tif 000002
【特許請求の範囲】
【請求項１】
複数枚のフレキシブルフラットケーブルが重ね合わせた信号伝送路において、
前記信号伝送路には信号線の存在する第１のフレキシブルフラットケーブルと前記第１のフレキシブルフラットケーブルと接触して重ね合わせられる第２のフレキシブルフラットケーブルとを有し、前記第２のフレキシブルフラットケーブルを第１のフレキシブルフラットケーブルと重ね合わせた場合において、前記第２のフレキシブルフラットケーブルは前記第１のフレキシブルフラットケーブルの信号線の近傍に複数のグランド線を有することを特徴とする信号伝送路。
【請求項２】
請求項１に記載の信号伝送路において、
前記第２のフレキシブルフラットケーブルには、前記第１のフレキシブルフラットケーブルの信号線と対向する対向部分にグランド線が配置され、さらに当該対向部分を中心として水平方向に複数のグランド線が配置されたことを特徴とする信号伝送路。
【請求項３】
請求項２に記載の信号伝送路において、
前記水平方向に１つずつグランド線を配置したことを特徴とする信号伝送路。
【請求項４】
請求項１乃至請求項３のいずれか一項に記載の信号伝送路において、
前記第１のフレキシブルフラットケーブルは、前記信号線と隣り合う部分にグランド線を有することを特徴とする信号伝送路。
【請求項５】
請求項１乃至請求項４のいずれか一項に記載の信号伝送路において、
前記信号線が複数の信号ラインに分割されていることを特徴とする信号伝送路。
【発明の詳細な説明】
【技術分野】
【０００１】
本発明は、電子機器で用いられる信号伝送路に関し、特に電子機器の基板間で信号を伝送するために複数のフレキシブルフラットケーブルを用いた信号伝送路に関するものである。
【背景技術】
【０００２】
電子機器の回路基板間で信号伝送を行うために信号伝送用のケーブルが用いられており、そのケーブルとして電子機器の小型化やケーブルが薄く柔軟性に富むなどの理由から平面状に所定間隔で導線を配置したフレキシブルフラットケーブル（一般にＦＦＣ（Flexible Flat Cable）と呼ばれる）の使用が増えてきている。
【０００３】
このフレキシブルフラットケーブルは基板回路が複雑になり伝送する信号線が多くなると、その数に応じてフレキシブルフラットケーブルの表面積が大きくなり実装密度が低くなる。そこで、実装密度を高めるために導線の数が少なく幅が小さい複数枚のフレキシブルフラットケーブルを重ねて用いることが行われている。
【０００４】
しかしながら、フレキシブルフラットケーブルを複数枚重ねて用いるとき、重ねられた導線同士が近接することでお互いに干渉しあい、フレキシブルフラットケーブルによって伝送された信号に影響し、電子機器が不具合を起こしてしまう。
【０００５】
この問題に対して、一般的に薄いシールド材をフレキシブルフラットケーブルに施したり、フレキシブルフラットケーブル間に干渉材をおくことで適宜の距離を保ったりする方法があるが、コスト増や実装面積の増大といった問題が生じる。
【０００６】
【特許文献１】特開２００３−１１２４２４号公報
【発明の開示】
【発明が解決しようとする課題】
【０００７】
特開２００３−１１２４２４号公報では前記の課題に対して重ねられたフレキシブルフラットケーブルにおいて対向する導線パターンに同一極性の駆動信号を配置することで機器の誤動作の軽減を図っている。
【０００８】
しかしながら、特開２００３−１１２４２４号公報は他の駆動信号に対しての影響を軽減させることで動作の安定性を向上させる方法であり、クロック信号やデータ信号などの高速信号線により発生するＥＭＩの低減や、信号線が電子機器の他の部分から生じる外来ノイズによって受ける影響を防ぐことはできない。
【０００９】
また、同一極性パターンが対向する位置にあることが前提であるため、あらかじめずれることが分かっている場合を除くと外的要因によって重ねられたフレキシブルフラットケーブルが左右どちらかにずれた場合に対応することはできない。
【００１０】
そこで本発明の課題は、重ねられた複数枚のフレキシブルフラットケーブルにおいて高速信号を伝送する際のＥＭＩの低減や外来ノイズの抑制を安価にできる構成であって、外的要因によってずれる場合にも対応できる構成を提供することである。
【課題を解決するための手段】
【００１１】
上記の課題を解決するために本発明では複数枚の重ねられたフレキシブルフラットケーブルにおいて、信号線とグランド線を異なるフレキシブルフラットケーブルに振り分け、信号線の近傍に複数のグランド線を配置した構成を用いた。
【００１２】
本発明によって、信号線はフレキシブルフラットケーブルが重ねられることでグランド線と近接することとなり、ＥＭＩを防止することができる。また、グランド線がシールド材に似た効果を発揮し、外来ノイズや信号同士の干渉によって生じるクロストークノイズの防止にも作用する。
【００１３】
また、本発明において信号線と対向する対向部分にグランド線が配置され、さらに当該対向部分を中心として長手方向に複数のグランド線が配置したことを特徴とする。さらに好ましくは長手方向に１個ずつ設けるのがよい。
【００１４】
この構成によればフレキシブルフラットケーブルが左右にずれて重ねられたとしても同様の効果を得ることができる。
【００１５】
また、本発明において信号線と同一フレキシブルフラットケーブル内の隣り合う部分にグランド線を有することを特徴とする。
【００１６】
この構成によれば信号線を同一フレキシブルフラットケーブル内の隣接部分もグランド線を配置することでシールド効果を高めることが可能となる。
【００１７】
また、本発明において信号線が複数本の信号ラインに分割して伝送されていることを特徴とする。
【００１８】
この構成によれば信号線を分割して伝送することにより信号線の劣化を抑制できる。特に高速伝送が必要なデータ信号やクロック信号を伝送する際にも確実に信号伝送できるとともに、ＥＭＩ抑制が可能となる。
【発明を実施するための最良の形態】
【００１９】
図面を参照して、本発明に関わる信号伝送路を詳しく説明する。
【００２０】
（第１実施形態）
図１（Ａ）、図１（Ｂ）は本発明による第１実施形態の構成を示している。図１（Ａ）は複数枚のフレキシブルフラットケーブル１Ａ，１Ｂが重なった信号伝送路である。フレキシブルフラットケーブル１Ａには信号線１０が、フレキシブルフラットケーブル１Ｂにはフレキシブルフラットケーブル１Ａと対向する位置から左右に１ピンずつ多くグランド線１１が配置されている。また、ＥＭＩの低減・外来ノイズの抑制を考慮する必要性があまり生じない電源などの低速信号線１２，１３などを配置してある。
【００２１】
図１（Ｂ）ではフレキシブルフラットケーブルが図１（Ａ）の状態から１ピンずれて重ねられた状態を示す図である。１ピンずれた状態であっても、対象となる信号線１０は対向するグランド線１１と隣接する構成になっている。
【００２２】
以上のような本実施形態の信号伝送路によれば、信号線１０から生じるＥＭＩはグランド線１１によって抑制されることになる。また、グランド線１１により外来ノイズが信号線１０に与える影響を軽減することができるため信号を確実に伝送できる。図１（Ｂ）のように重ねられた際に何らかの外的要因によって１ピンずれてしまったとしても信号線はグランド線と隣接した状態となるので同様の効果が得られる。しかも本実施形態の構成はシールド材や干渉材などを用いずに対象となる信号線とその対向位置にグランドを配置すれば残りの導線パターンには電源などを配置できるので非常に安価に構成することができる。
【００２３】
なお、第１実施形態では１ピンずれた場合にも対応するような構成となっているが状況に応じてずれる幅を考慮に入れてさらに複数ピンずれた場合に対応することも可能である。
【００２４】
（第２実施形態）
図２は第２実施形態の構成を示している。ここに示すように本実施形態の信号伝送路では、３枚以上重ねられたフレキシブルフラットケーブルにおいて適用できるという点で第１実施形態と異なっている。ここでは３枚のフレキシブルフラットケーブル２Ａ，２Ｂ，２Ｃが重ねられており、図に示すように信号線１４がグランド線１５によって上下で挟まれる構成になっている。
【００２５】
このような、本実施形態の構成によれば、信号線が上下にグランド線で囲まれることで第１実施形態の効果に加え、さらにシールド効果を得ることができる。しかも本実施形態の構成も非常に安価で簡単に構成できる。
【００２６】
（第３実施形態）
図３は第３実施形態の構成を示している。ここで示すように本実施形態の信号伝送路では第１実施形態と同様に重ねられたフレキシブルフラットケーブル３Ｂに信号線１７と対向する位置にグランド線１８を配置する構成になっている。異なる点として信号線１７と同一フレキシブルフラットケーブル３Ａ上に信号線１７を挟むようにしてグランド線１６を配置する構成になっている。
【００２７】
第３実施形態の構成によれば、信号線１７が通電時には左右のグランド線１６および対向するグランド線１８により第１実施形態の効果に加え、さらにＥＭＩの低減や外来ノイズの影響に対して効果を向上させることができる。
【００２８】
（第４実施形態）
図４は第４実施形態の構成を示している。第１実施形態と異なる点として本実施形態では、信号線が複数の信号ラインに分割されている。図４に示すように、信号伝送路では信号線が第１差動信号線１９と第２差動信号線２０に分割されて伝送されている。フレキシブルフラットケーブル４Ａ，４Ｂが重ねられており、フレキシブルフラットケーブル４Ａには第１差動信号線１９と第２差動信号線２０が配置されている。フレキシブルフラットケーブル４Ｂ内にはそれぞれの差動信号に対向する位置から左右に１ピンずつ多くグランド線２１が配置されている。
【００２９】
上述した第４実施形態では信号線が第１差動信号線１９、第２差動信号線２０として２つに分割されているが、これに限らず信号線が３つ以上に分割されていてもよい。
【００３０】
本実施形態では、第１実施形態の効果に加えてこのように信号線を分割した差動信号にして伝送することで信号の劣化を防ぐことができ、特に高速伝送が必要なデータ信号やクロック信号などを伝送する際にも確実に伝送できるとともに、高速伝送によるＥＭＩの抑制が可能となる。
【００３１】
以上述べたように、本発明によれば、複数枚重ねられたフレキシブルフラットケーブルからなる信号伝送路において信号線、グランド線などの複数の導線を工夫して配置することで信号線により生じるＥＭＩの軽減・外来ノイズの抑制を図ることができ、また、重ねる際に左右どちらかにずれたとしても同様の効果を得ることができるという優れた効果が得られる。
【図面の簡単な説明】
【００３２】
【図１】本発明の第１実施形に係る信号伝送路におけるフレキシブルフラットケーブルの概略的な断面図。
【図２】本発明の第２実施形態に係る信号伝送路におけるフレキシブルフラットケーブルの概略的な断面図。
【図３】本発明の第３実施形態に係る信号伝送路におけるフレキシブルフラットケーブルの概略的な断面図。
【図４】本発明の第４実施形態に係る信号伝送路におけるフレキシブルフラットケーブルの概略的な断面図。
【符号の説明】
【００３３】
１０，１４，１７…信号線、１１，１５，１６，１８，２１…グランド線、１２，１３…電源などの低速信号線、１９…第１差動信号線、２０…第２差動信号線、１Ａ，１Ｂ，２Ａ，２Ｂ，２Ｃ，３Ａ，３Ｂ，４Ａ，４Ｂ…フレキシブルフラットケーブル。
【図１】
2008210605.tif 000003
【図２】
2008210605.tif 000004
【図３】
2008210605.tif 000005
【図４】
2008210605.tif 000006